(57)【特許請求の範囲】
【請求項１】
高速ダウンリンクパケットアクセス(HSDPA)マルチフロー伝送モードで構成された端末の監視されている高速共有制御チャネル(HS-SCCH)の最大数の能力情報に従ってリソース指示情報を生成して、前記リソース指示情報を基地局に送信するステップであって、前記リソース指示情報が、前記基地局に対応するサービングセル内の前記端末にHS-SCCHを割り当てるよう前記基地局に指示するために使用される、ステップと、
前記基地局によって返されたリソース割当て情報を受信するステップであって、前記リソース割当て情報が、前記基地局によって前記基地局に対応する前記サービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下である、ステップとを備え、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記HSDPAマルチフロー伝送モードで構成された前記端末のサービングセルの総数であり、jおよびiが両方とも1以上の整数であり、nが1以上の整数を表す、
リソース割当て方法。
【請求項２】
前記リソース指示情報を基地局に送信する前記ステップが、
前記リソース指示情報を前記基地局に送信するステップであって、前記リソース指示情報が、前記基地局に対応する前記サービングセル内の前記端末に割り当てられたHS-SCCHチャネルの最大数を含み、前記基地局に対応する前記サービングセルに割り当てられたHS-SCCHチャネルの前記最大数がi以下であり、すべての前記サービングセル内の前記端末に割り当てられたHS-SCCHチャネルの前記最大数の合計がj以下である、ステップを備える、請求項1に記載の方法。
【請求項３】
前記リソース指示情報を基地局に送信する前記ステップが、
前記リソース指示情報を第1の基地局に送信するステップと、
前記第1の基地局によって返されたリソース割当て情報を取得するステップであって、前記第1の基地局によって返された前記リソース割当て情報内で前記第1の基地局に対応するサービングセルに割り当てられたHS-SCCHチャネルの最大数がi以下である、ステップと、
前記第1の基地局によって返された前記リソース割当て情報、および前記HSDPAマルチフロー伝送モードで構成された前記端末の監視されているHS-SCCHの前記最大数の前記能力情報に従って、第2の基地局に送信されるリソース指示情報を決定するステップであって、前記第2の基地局に送信される前記リソース指示情報内の前記第2の基地局に対応するサービングセル内の前記端末に割り当てられたHS-SCCHチャネルの前記最大数がi以下であり、すべての前記サービングセル内の前記端末に対応する割り当てられたHS-SCCHチャネルの前記最大数の合計がj以下である、ステップとを備える、請求項1に記載の方法。
【請求項４】
前記端末によって送信されたアクセス要求メッセージを受信するステップと、
前記アクセス要求メッセージに従って、前記端末のためのHSDPAマルチフロー伝送を確立することを決定して、HSDPAマルチフロー伝送を確立するアクセスするべきサービングセル、およびアクセスするべき前記サービングセルに対応する基地局を決定するステップと、
前記HSDPAマルチフロー伝送モードで構成された前記端末の監視されているHS-SCCHの前記最大数の前記能力情報を取得するステップとをさらに備える、請求項1から3のいずれか一項に記載の方法。
【請求項５】
無線ネットワークコントローラによって送信されたリソース指示情報を受信するステップであって、前記リソース指示情報が、高速ダウンリンクパケットアクセス(HSDPA)マルチフロー伝送モードで構成された端末の監視されている高速共有制御チャネル(HS-SCCH)の最大数の能力情報に従って前記無線ネットワークコントローラによって生成された情報であり、基地局に対応するサービングセル内の前記端末にHS-SCCHを割り当てるよう前記基地局に指示するために使用される、ステップと、
前記リソース指示情報に従ってリソース割当て情報を生成するステップであって、前記リソース割当て情報が、前記基地局によって前記基地局に対応する前記サービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下である、ステップと、
前記リソース割当て情報を前記無線ネットワークコントローラに送信するステップとを備え、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記端末のために構成されたHSDPAマルチフロー伝送サービングセルの総数を表し、jおよびiが両方とも1以上の整数であり、nが1以上の整数を表す、
リソース割当て方法。
【請求項６】
前記リソース指示情報が、前記基地局に対応する前記サービングセル内の前記端末に割り当てられたHS-SCCHチャネルの最大数を含み、前記基地局に対応する前記サービングセルに割り当てられたHS-SCCHチャネルの前記最大数がi以下であり、すべての前記サービングセル内の前記端末に割り当てられたHS-SCCHチャネルの前記最大数の合計がj以下であり、
前記リソース割当て情報において前記基地局によって前記基地局に対応する前記サービングセル内の前記端末に割り当てられたHS-SCCHチャネルの前記数が、前記基地局に対応する前記サービングセルに割り当てられたHS-SCCHチャネルの前記最大数以下である、請求項5に記載の方法。
【請求項７】
ローカルが、前記無線ネットワークコントローラがリソース指示情報を送信する第1の基地局である場合、前記リソース指示情報が、前記基地局に対応する前記サービングセル内の前記端末に割り当てられたHS-SCCHチャネルの最大数を含まず、前記リソース割当て情報内で前記基地局に対応する前記サービングセル内の前記端末に割り当てられたHS-SCCHチャネルの前記数がi以下である、請求項5に記載の方法。
【請求項８】
高速ダウンリンクパケットアクセス(HSDPA)マルチフロー伝送モードで構成された端末の監視されている高速共有制御チャネル(HS-SCCH)の最大数の能力情報に従ってリソース指示情報を生成するように構成された指示情報生成ユニットであって、前記リソース指示情報が、基地局に対応するサービングセル内の前記端末にHS-SCCHを割り当てるよう前記基地局に指示するために使用される、指示情報生成ユニットと、
前記リソース指示情報を前記基地局に送信するように構成された指示情報送信ユニットと、
前記リソース指示情報に従って前記基地局によって返されたリソース割当て情報を受信するように構成された割当て情報受信ユニットであって、前記リソース割当て情報が、前記基地局によって前記基地局に対応する前記サービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下である、情報受信ユニットとを備え、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記HSDPAマルチフロー伝送モードで構成された前記端末のサービングセルの総数であり、jおよびiが両方とも1以上の整数であり、nが1以上の整数を表す、
無線ネットワークコントローラ。
【請求項９】
前記指示情報送信ユニットが、前記リソース指示情報を前記基地局に送信するようにさらに構成され、前記リソース指示情報が、前記基地局に対応する前記サービングセル内の前記端末に割り当てられたHS-SCCHチャネルの最大数を含み、前記基地局に対応する前記サービングセルに割り当てられたHS-SCCHチャネルの前記最大数がi以下であり、すべての前記サービングセル内の前記端末に割り当てられたHS-SCCHチャネルの前記最大数の合計がj以下である、請求項8に記載の無線ネットワークコントローラ。
【請求項１０】
前記指示情報送信ユニットが、前記リソース指示情報を第1の基地局に送信するようにさらに構成され、
前記割当て情報受信ユニットが、前記第1の基地局によって返されたリソース割当て情報を取得するようにさらに構成され、前記第1の基地局によって返された前記リソース割当て情報内で前記第1の基地局に対応するサービングセルに割り当てられたHS-SCCHチャネルの最大数がi以下であり、
前記指示情報生成ユニットが、前記第1の基地局によって返された前記リソース割当て情報、および前記HSDPAマルチフロー伝送モードで構成された前記端末の監視されているHS-SCCHの前記最大数の前記能力情報に従って、第2の基地局に送信されるリソース指示情報を決定するようにさらに構成され、前記第2の基地局に送信される前記リソース指示情報内の前記第2の基地局に対応するサービングセル内の前記端末に割り当てられたHS-SCCHチャネルの前記最大数がi以下であり、すべての前記サービングセル内の前記端末に対応する割り当てられたHS-SCCHチャネルの前記最大数の合計がj以下である、請求項8に記載の無線ネットワークコントローラ。
【請求項１１】
無線ネットワークコントローラによって送信されたリソース指示情報を受信するように構成された指示情報受信ユニットであって、前記リソース指示情報が、高速ダウンリンクパケットアクセス(HSDPA)マルチフロー伝送モードで構成された端末の監視されている高速共有制御チャネル(HS-SCCH)の最大数の能力情報に従って前記無線ネットワークコントローラによって生成された情報であり、基地局に対応するサービングセル内の前記端末にHS-SCCHを割り当てるよう前記基地局に指示するために使用される、指示情報受信ユニットと、
前記リソース指示情報に従ってリソース割当て情報を生成するように構成された割当て情報生成ユニットであって、前記リソース割当て情報が、前記基地局によって前記基地局に対応する前記サービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下である、割当て情報生成ユニットと、
前記リソース割当て情報を前記無線ネットワークコントローラに送信するように構成された割当て情報送信ユニットとを備え、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記端末のために構成されたHSDPAマルチフロー伝送サービングセルの総数を表し、jおよびiが両方とも1以上の整数であり、nが1以上の整数を表す、
基地局。
【請求項１２】
前記リソース指示情報が、前記基地局に対応する前記サービングセル内の前記端末に割り当てられたHS-SCCHチャネルの最大数を含み、前記基地局に対応する前記サービングセルに割り当てられたHS-SCCHチャネルの前記最大数がi以下であり、すべての前記サービングセル内の前記端末に割り当てられたHS-SCCHチャネルの前記最大数の合計がj以下であり、
前記リソース割当て情報において前記基地局に対応する前記サービングセル内の前記端末に割り当てられたHS-SCCHチャネルの前記数が、前記基地局に対応する前記サービングセルに割り当てられたHS-SCCHチャネルの前記最大数以下である、請求項11に記載の基地局。
【請求項１３】
ローカルが、前記無線ネットワークコントローラがリソース指示情報を送信する第1の基地局である場合、前記リソース指示情報が、前記基地局に対応する前記サービングセル内の前記端末に割り当てられたHS-SCCHチャネルの最大数を備えず、前記リソース割当て情報内で前記基地局に対応する前記サービングセル内の前記端末に割り当てられたHS-SCCHチャネルの前記数がi以下である、請求項11に記載の基地局。
【請求項１４】
無線ネットワークコントローラによって送信されたリソース構成情報を受信するように構成された構成情報受信ユニットであって、前記リソース構成情報が、前記無線ネットワークコントローラが高速ダウンリンクパケットアクセス(HSDPA)マルチフロー伝送モードで構成された端末の監視されている高速共有制御チャネル(HS-SCCH)の最大数の能力情報に従ってリソース指示情報を生成して、前記リソース指示情報を基地局に送信した後に、前記基地局によって返されたリソース割当て情報を受信した後に前記リソース割当て情報に従って生成されたリソース構成情報であり、前記リソース割当て情報が、前記基地局によって前記基地局に対応するサービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下である、構成情報受信ユニットと、
リソース構成を完了するために、前記受信されたリソース構成情報に従って構成を実行して、リソース構成応答情報を前記無線ネットワークコントローラに返すように構成された構成応答送信ユニットとを備え、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記HSDPAマルチフロー伝送モードで構成された前記端末のサービングセルの総数であり、jおよびiが両方とも1以上の整数であり、nが1以上の整数を表す、
端末。
【請求項１５】
無線ネットワークコントローラおよび基地局を備える無線ネットワークシステムであって、
前記無線ネットワークコントローラが、高速ダウンリンクパケットアクセス(HSDPA)マルチフロー伝送モードで構成された端末の監視されている高速共有制御チャネル(HS-SCCH)の最大数の能力情報に従ってリソース指示情報を生成して、前記リソース指示情報を前記基地局に送信して、前記リソース指示情報に従って前記基地局によって返されたリソース割当て情報を受信するように構成され、前記リソース割当て情報が、前記基地局によって前記基地局に対応するサービングセル内の前記端末に割り当てられたHS-SCCHチャネルの数を含み、前記基地局に対応する前記サービングセル内の前記端末に割り当てられたHS-SCCHチャネルの前記数が、前記HSDPAマルチフロー伝送モードで構成された前記端末の監視されているHS-SCCHの前記最大数以下であり、
前記基地局が、前記無線ネットワークコントローラによって送信された前記リソース指示情報を受信して、前記リソース指示情報に従って前記リソース割当て情報を生成して、前記リソース割当て情報を前記無線ネットワークコントローラに送信するように構成され、
前記HSDPAマルチフロー伝送モードで構成された前記端末の監視されているHS-SCCHの前記最大数の前記能力情報が、前記端末が各サービングセル内で最大でi個のHS-SCCHを受信して、前記端末がすべてのサービングセル内で最大でj個のHS-SCCHを受信することを含み、
j=n*x、およびj>=i
であり、上式で、xが前記HSDPAマルチフロー伝送モードで構成された前記端末のサービングセルの総数であり、jおよびiが両方とも1以上の整数であり、nが1以上の整数を表す、
無線ネットワークシステム。
【発明の詳細な説明】
【技術分野】
【０００１】
本出願は、2012年1月20日に中国専利局に出願された中国特許出願第201210019039.9号「RESOURCE ALLOCATION METHOD, RADIO NETWORK CONTROLLER, AND BASE STATION」の優先権を主張し、その全体を参照により本明細書に組み込む。
【０００２】
本発明はワイヤレスインターネットワークに関し、具体的には、リソース割当て方法、無線ネットワークコントローラ、および基地局に関する。
【背景技術】
【０００３】
ユニバーサル移動体通信システム(Universal Mobile Telecommunications System, UMTS)は、国際標準化機構の第3世代パートナーシッププロジェクト(the third generation partnership project, 3GPP)によって策定されたグローバル3G標準のうちの1つである。
【０００４】
高速ダウンリンクパケットアクセス(High Speed Downlink Packages Access, HSDPA)技術は、UMTSのリリース5において導入されている。本技術は、UMTSネットワークのダウンリンクデータ容量およびデータサービスレートの増加を実現するための最も重要な技術であり、非対称のアップリンク/ダウンリンクデータサービスの需要以下を満たすために、3GPPによってR5プロトコルにおいて提案されている。構築されたシステムのネットワーク構造を変更しないという前提の下で、ユーザのダウンリンクデータサービスレートを大幅に増加させることができる(理論的な最大値は14.4Mbpsに達し得る)。
【０００５】
最新のUMTS標準の進化では、HSDPAマルチフロー伝送(HSDPA Multiflow Transmission, HSDPA-MF-Tx)技術がさらに導入されている。本技術の原理は、UEが同一周波数を有する複数のセルのカバレッジエリア内にあるときに、ネットワーク側がUEをMF-Tx状態に構成してよいということであり、この場合、UEは2つのセル内で同時にHSDPAサービスを受信することができる。
【０００６】
HSDPAチャネルは、高速共有データチャネル(高速物理データ共有チャネル（High Speed Physical Data Share Channel）, HS-PDSCH)、および対応するダウンリンク共有制御チャネル(高速共有制御チャネル（High Speed Shared Control Channel）, HS-SCCH)、ならびに対応するアップリンク専用物理制御チャネル(高速専用物理制御チャネル（High Speed Dedicated Physical Control Channel）, HS-DPCCH)を含む。ダウンリンク共有制御チャネル(HS-SCCH)は、媒体アクセス制御、高速(Medium Access Control - high speed, MAC-hs)/媒体アクセス制御、拡張高速(Medium Access Control - enhanced high speed, MAC-ehs)/媒体アクセス制御からの制御情報を端末に運ぶ。制御情報は、移動局の識別マーカー、ハイブリッド自動再送要求(Hybrid Automatic ReQuest, H-ARQ)に関するパラメータ、およびHS-DSCHによって使用される伝送フォーマットを含む。情報は、2ミリ秒ごとに、基地局から移動局またはユーザ(User Equipment, UE)に送信される。
【０００７】
しかしながら、従来技術には以下のような問題点がある。処理能力の制限のために、UEは、UEによって監視されるHS-SCCHチャネルの最大数を制限する必要があり、ネットワーク側で構成が実行されるとHS-SCCHリソース情報が基地局によって割り当てられるので、UEが、異なる基地局によってカバーされている2つのセル以上で同時にHSDPAサービスを受信することができる場合、異なる基地局によって割り当てられたHS-SCCHチャネルの数がUEの処理能力を超える場合があり、その結果、HS-SCCHリソース割当ての浪費をもたらし、ダウンリンクデータ伝送の損失を被る可能性がある。
【発明の概要】
【課題を解決するための手段】
【０００８】
本発明の複数の態様は、リソース割当て方法、無線ネットワーク制御装置、および基地局を提供し、基地局がHS-SCCHチャネルの数を端末に割り当てる際にUEの処理能力を超えないことを確実にして、それによってHS-SCCHリソース割当ての浪費、および結果として生じるダウンリンクデータ伝送の損失という問題を回避する。
【０００９】
本発明の一態様では、リソース割当て方法が提供され、本方法は、
HSDPAマルチフロー伝送モードで構成された端末の監視されているHS-SCCHの最大数の能力情報に従ってリソース指示情報を生成して、リソース指示情報を基地局に送信するステップであって、リソース指示情報が、基地局に対応するサービングセル内の端末にHS-SCCHを割り当てるよう基地局に指示するために使用される、ステップと、
基地局によって返されたリソース割当て情報を受信するステップであって、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である、ステップとを含む。
【００１０】
本発明の別の態様では、リソース割当て方法がさらに提供され、本方法は、
無線ネットワークコントローラによって送信されたリソース指示情報を受信するステップであって、リソース指示情報が、HSDPAマルチフロー伝送モードで構成された端末の監視されているHS-SCCHの最大数の能力情報に従って無線ネットワークコントローラによって生成された情報であり、基地局に対応するサービングセル内の端末にHS-SCCHを割り当てるよう基地局に指示するために使用される、ステップと、
リソース指示情報に従ってリソース割当て情報を生成するステップであって、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である、ステップと、
リソース割当て情報を無線ネットワークコントローラに送信するステップとを含む。
【００１１】
本発明の別の態様では、無線ネットワークコントローラがさらに提供され、無線ネットワークは、
HSDPAマルチフロー伝送モードで構成された端末の監視されているHS-SCCHの最大数の能力情報に従ってリソース指示情報を生成するように構成された指示情報生成ユニットであって、リソース指示情報が、基地局に対応するサービングセル内の端末にHS-SCCHを割り当てるよう基地局に指示するために使用される、指示情報生成ユニットと、
リソース指示情報を基地局に送信するように構成された指示情報送信ユニットと、
リソース指示情報に従って基地局によって返されたリソース割当て情報を受信するように構成された割当て情報受信ユニットであって、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である、情報受信ユニットとを含む。
【００１２】
本発明の別の態様では、基地局がさらに適用され、基地局は、
無線ネットワークコントローラによって送信されたリソース指示情報を受信するように構成された指示情報受信ユニットであって、リソース指示情報が、HSDPAマルチフロー伝送モードで構成された端末の監視されているHS-SCCHの最大数の能力情報に従って無線ネットワークコントローラによって生成された情報であって、基地局に対応するサービングセル内の端末にHS-SCCHを割り当てるよう基地局に指示するために使用される、指示情報受信ユニットと、
リソース指示情報に従ってリソース割当て情報を生成するように構成された割当て情報生成ユニットであって、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である、割当て情報生成ユニットと、
リソース構成を完了するために、リソース割当て情報を無線ネットワークコントローラに送信して、無線ネットワークコントローラがリソース割当て情報に従って端末と対話できるようにするように構成された割当て情報送信ユニットとを含む。
【００１３】
本発明の別の態様では、端末がさらに提供され、
無線ネットワークコントローラによって送信されたリソース構成情報を受信するように構成された構成情報受信ユニットであって、リソース構成情報が、無線ネットワークコントローラがHSDPAマルチフロー伝送モードで構成された端末の監視されているHS-SCCHの最大数の能力情報に従ってリソース指示情報を生成して、リソース指示情報を基地局に送信した後に、基地局によって返されたリソース割当て情報を受信した後にリソース割当て情報に従って生成されたリソース構成情報であり、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である、構成情報受信ユニットと、
リソース構成を完了するために、受信されたリソース構成情報に従って構成を実行して、リソース構成応答情報を無線ネットワークコントローラに返すように構成された構成応答送信ユニットとを含む。
【００１４】
本発明の別の態様では、無線ネットワークシステムがさらに提供され、無線ネットワークコントローラおよび基地局を含む。無線ネットワークコントローラは、HSDPAマルチフロー伝送モードで構成された端末の監視されているHS-SCCHの最大数の能力情報に従ってリソース指示情報を生成して、リソース指示情報を基地局に送信して、リソース指示情報に従って基地局によって返されたリソース割当て情報を受信するように構成され、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である。
【００１５】
基地局は、無線ネットワークコントローラによって送信されたリソース指示情報を受信して、リソース指示情報に従ってリソース割当て情報を生成して、リソース割当て情報を無線ネットワークコントローラに送信するように構成される。
【００１６】
上記で説明した技術的ソリューションによれば、無線ネットワークコントローラは、マルチフロー伝送モードでHS-SCCH割当てを実行するように基地局に指示し、基地局によって端末に割り当てられたHS-SCCHチャネルの総数が端末の処理能力を超えないことを確実にして、それによってHS-SCCHリソース割当ての浪費、および結果として生じるダウンリンクデータ伝送の損失という問題を回避する。
【００１７】
本発明の実施形態における、または従来技術における技術的ソリューションをより明確に説明するために、実施形態または従来技術を説明するために必要な添付の図面を以下で簡単に紹介する。以下の記述における添付の図面は、本発明のいくつかの実施形態を示すにすぎず、当業者は、これらの添付の図面によって、創造的努力なしに他の図面も取得することができることは明らかである。
【図面の簡単な説明】
【００１８】
【図１】本発明の実施形態による、ネットワークカバレッジケースの概略図である。
【図２】本発明の実施形態による、別のネットワークカバレッジケースの概略図である。
【図３】本発明の実施形態による、リソース割当て方法の特定の手順の概略図である。
【図４】本発明の実施形態による、基地局側でのリソース割当て方法の特定の手順の概略図である。
【図５】対応するリソース指示情報が、時系列の制限なしに複数の基地局のそれぞれに送信される場合のリソース構成手順の概略図である。
【図６】対応するリソース指示情報が、連続的に複数の基地局のそれぞれに送信される場合のリソース構成手順の概略図である。
【図７】本発明の実施形態による、無線ネットワークコントローラの特定の組成概略図である。
【図８】本発明の実施形態による、基地局の特定の組成概略図である。
【図９】本発明の実施形態による、端末の特定の組成概略図である。
【発明を実施するための形態】
【００１９】
以下で、本発明の実施形態における添付の図面を参照して、本発明の実施形態における技術的ソリューションを明確かつ完全に説明する。説明される実施形態は、本発明の実施形態のすべてではなく、その一部にすぎないことが明らかである。本発明の実施形態に基づいて、創造的努力なしに当業者によって取得される他のすべての実施形態は、本発明の保護範囲に含まれるものとする。
【００２０】
本明細書に記載される技術は、たとえば、現在の2Gおよび3G通信システム、ならびにグローバルシステムフォーモバイルコミュニケーションズ(GSM(登録商標), Global System for Mobile communications)、符号分割多元接続(CDMA, Code Division Multiple Access)システム、時分割多元接続(TDMA、Time Division Multiple Access)システム、広帯域符号分割多元接続(WCDMA(登録商標), Wideband Code Division Multiple Access)システム、周波数分割多元接続(FDMA, Frequency Division Multiple Access)システム、直交周波数分割多元接続(OFDMA, Orthogonal Frequency-Division Multiple Access)システム、単一キャリアFDMA(SC-FDMA)システム、汎用パケット無線サービス(GPRS, General Packet Radio Service)システムなどの次世代通信システム、ならびにこの種類の他の通信システムなどの、様々な通信システムで使用され得る。
【００２１】
本明細書では、端末、および/または基地局、ならびに/あるいは基地局コントローラを参照して様々な態様が説明される。
【００２２】
ユーザデバイスはワイヤレス端末でよく、またワイヤード端末でもよい。ワイヤレス端末は、音声および/またはデータ接続性をユーザに提供するデバイス、ワイヤレス接続機能を有するハンドヘルドデバイス、またはワイヤレスモデムに接続された別の処理装置を指すことができる。ワイヤレス端末は、無線アクセスネットワーク(たとえば、RAN, Radio Access Network)を通じて1つまたは複数のコアネットワークと通信することができる。ワイヤレス端末は、モバイル電話(または「セルラー式」電話と呼ばれる)などのモバイル端末、および、たとえばポータブル、ポケット、またはハンドヘルドモバイル装置などのモバイル端末を有するコンピュータでもよく、あるいはコンピュータに内蔵された、または車両に搭載されたモバイル装置でもよく、それらは言語および/またはデータを、パーソナル通信サービス(PCS, Personal Communication Service)電話、コードレス電話、セッション開始プロトコル(SIP)電話、ワイヤレスローカルループ(WLL, Wireless Local Loop)ステーション、および携帯情報端末(PDA, Personal Digital Assistant)などのデバイスなどの、無線アクセスネットワークと交換する。ワイヤレス端末は、システム、加入者ユニット(Subscriber Unit)、加入者ステーション(Subscriber Station)、移動局(Mobile Station)、移動局(Mobile)、遠隔ステーション(Remote Station)、アクセスポイント(Access Point)、遠隔端末(Remote Terminal)、アクセス端末(Access Terminal)、ユーザ端末(User Terminal)、ユーザエージェント(User Agent)、ユーザデバイス(User Device)、またはユーザ装置(User Equipment)とも呼ばれ得る。
【００２３】
基地局(たとえば、アクセスポイント)は、アクセスネットワーク内のエアインターフェース上の1つまたは複数のセクタを通じてワイヤレス端末と通信しているデバイスを指す場合がある。基地局は、受信されたエアフレームとIPパケットとの間の会話を実行して、ワイヤレス端末とアクセスネットワークの残りの部分との間のルータとして機能するために使用され得る。アクセスネットワークの残りの部分は、インターネットプロトコル(IP)ネットワークを含み得る。基地局は、エアインターフェースの属性管理をさらに調整することができる。たとえば、基地局は、GSM(登録商標)またはCDMA内の基地局(BTS, Base Transceiver Station)でよく、またWCDMA(登録商標)内の基地局(base station)でもよく、本発明では限定されない。
【００２４】
基地局コントローラは、GSM(登録商標)またはCDMA内の基地局コントローラ(BSC、base station controller)でよく、またWCDMA(登録商標)内の無線ネットワークコントローラ(RNC, Radio Network Controller)でもよく、本発明では限定されない。
【００２５】
さらに、本明細書における「システム」および「ネットワーク」という用語は、本明細書において交換可能な方法で頻繁に使用される。本明細書における「および/または」という用語は、関連するオブジェクトを説明する対応関係にすぎず、3つの種類の関係が存在し得ることを示す。たとえば、Aおよび/またはBは、Aだけが存在する、AとBとの両方が存在する、およびBだけが存在する、という3つのケースを示すことができる。さらに、本明細書における「/」という符号は、一般的に関連するオブジェクト間の「または」の関係を示す。
【００２６】
本発明の実施形態では、無線ネットワークコントローラ(Radio Network Controller, RNC)が、MF-Tx状態下の端末のものであり、端末によって報告されるか、プロトコルにおいて定義されるHS-SCCH受信能力情報に従って基地局に通知して、次いで、基地局がそれに応じて端末のHS-SCCHリソース情報を合理的に割り当てて、リソース割当て結果(割り当てられたHS-SCCHチャネルの数)が端末の処理能力の範囲内であることを確実にするために、リソース情報はHS-SCCHコードチャネル情報を含む。
【００２７】
MF-Tx状態下の端末のものであり、端末によって報告されるか、プロトコルにおいて定義されるHS-SCCH受信能力情報は、端末によってRNCに送信されるRRCシグナリング内で端末によって搬送されるHS-SCCH受信能力情報でもよく、プロトコルにおいて定義されるHS-SCCH受信能力情報でもよい。UEのMF-Txサービングセルの数がxである場合、UEは各サービングセルにおいて最大でi個のHS-SCCHを受信すると定義され、またUEはすべてのサービングセルにおいて最大でj個のHS-SCCHを受信すると定義され、j=n*xであり、またnは1以下の整数でよい。たとえば、i=4およびj=3*xであり、UEのために構成されたMF-Txサービングセルの数が2の場合、UEは各サービングセルにおいて最大で4個のHS-SCCHを受信して、2つのセルにおいて最大で6個のHS-SCCHを受信する。一般的に、iおよび/またはjの情報はネットワーク側のRNCで構成されるべきであり、iの情報は基地局で構成される。
【００２８】
たとえば、図1に示されるネットワークカバレッジケースでは、UEは、動作周波数ポイントが同じである2つのセル(セル1およびセル2)においてHSDPAサービスを受信することができ、一方、セル1およびセル2はそれぞれ基地局1および基地局2に属するセルである。したがって、前のパラグラフの構成状況を参照して、ネットワーク側は以下のように構成され得る:基地局1が3個のHS-SCCHで構成されて、基地局2が3個のHS-SCCHで構成されるか、または基地局1が2個のHS-SCCHで構成されて、基地局2が4個のHS-SCCHで構成される。
【００２９】
図1に示される例は、MF-Txにおける最も基本的なモードにすぎない点に留意されたい。MF-Txは、他の多くもノードをさらに含む。たとえば、図2に示されるように、サービングセルはM周波数ポイント上で分散されて、M>=1であり、具体的にはM1、M2、M3、…であり、それに対応してN個のセルが各周波数ポイント上に存在し、N>=1であり、具体的にはN1セルがM1周波数ポイント上に存在し、N2セルがM2周波数ポイント上に存在し、以下同様である。
【００３０】
具体的な組合せの例は以下の通りである。
【００３１】
(1)M=1およびN=2は、周波数ポイント上の2つのセル、すなわち周波数ポイントf1上の2つのセルに対応する。図2に示されるように、セル1およびセル2が同時にHSDPAデータをUEに送信する。
【００３２】
(2)M=2、N1=1、およびN2=1は、2つの周波数ポイント上の2つのセル、すなわち周波数ポイントf1上の1つのセルおよび周波数ポイントf2上の1つのセルに対応する。図2に示されるように、セル1およびセル2'が同時にHSDPAデータをUEに送信して、同様に、セル2とセル1'との組合せでもよく、セル2とセル3'との組合せでもよく、以下同様である。
【００３３】
(3)M=2、N1=2、およびN2=2は、2つの周波数ポイント上の4つのセル、すなわち、周波数ポイントf1上の2つのセル、および周波数ポイントf2上の2つのセルに対応する。図2に示されるように、セル1、セル2、セル1'、およびセル2'が同時にHSDPAデータをUEに送信して、同様にセル2、セル3、セル2'、およびセル3'の組合せでもよく、以下同様である。
【００３４】
特に指定のない限り、本発明の実施形態におけるMF-Txの特定のモードについて、上記の説明が参照されてよい。以下では、MF-Txモードでリソース構成が実行される特定の方法を主に紹介する。
【００３５】
図3に示されるように、図3は本発明の実施形態による、リソース割当て方法の特定の手順の概略図であり、本方法は以下の手順を含む。
【００３６】
101:HSDPAマルチフロー伝送モードで構成された端末の監視されているHS-SCCHの最大数の能力情報に従ってリソース指示情報を生成し、リソース指示情報は、基地局に対応するサービングセル内の端末にHS-SCCHを割り当てるよう基地局に指示するために使用される。
【００３７】
HSDPAマルチフロー伝送モードで構成された端末の監視されているHS-SCCHの最大数の能力情報は、端末によってRNCに送信されたRRCメッセージ内で端末によって搬送されてもよく、プロトコルにおいて定義されてもよい。
【００３８】
具体的には、HSDPAマルチフロー伝送モードで構成された端末の監視されているHS-SCCHの最大数の能力情報は、端末が基地局に対応するサービングセル内で最大でi個のHS-SCCHを受信して、端末がすべてのサービングセル内で最大でj個のHS-SCCHを受信することを含むことができ、
j=n*x、およびj>=i
以下であり、上式で、xは端末のために構成されたHSDPAマルチフロー伝送サービングセルの総数を表し、jおよびiは両方とも1以上の整数であり、nは1以上の整数を表している。
【００３９】
一般的に言えば、RNCは、RNCのアルゴリズムと組み合わせて測定報告を通じてHSDPAマルチフロー伝送サービングセルを決定して、測定報告はセル上の端末によって実行される。本発明の実施形態では、たとえば既存の1Aまたは1D測定イベントのなどの、多くのイベントが端末の測定報告をトリガし得る。一定の条件以下である場合、RNCは、端末のための(新しい)HSDPAマルチフロー伝送サービングセルを確立することを決定して、この場合、RNCは、端末の現在のサービングセル、および対応するサービングセル(基地局)識別子の総数を知っている。したがって、RNCは、このことおよびHSDPAマルチフロー伝送モードで構成された端末の監視されているHS-SCCHの最大数の能力情報に従って、対応するリソース指示情報を生成することができ、能力情報は端末によって報告されるか、プロトコルにおいて定義される。
【００４０】
たとえば、1:端末によって送信されたアクセス要求メッセージを受信する、2:アクセス要求メッセージに従って、端末のためのHSDPAマルチフロー伝送を確立することを決定して、HSDPAマルチフロー伝送を確立しているサービングセルに対応する基地局を決定する、および、3:HSDPAマルチフロー伝送モードで構成された端末の監視されているHS-SCCHの最大数の能力情報を取得して、能力情報は端末によって報告されるか、プロトコルにおいて定義される。
【００４１】
102:リソース指示情報を基地局に送信する。リソース指示情報は、RNCによって基地局に送信される制御信号、たとえば、無線リンク設定要求メッセージ(RADIO LINK SETUP REQUEST)、無線リンク追加要求メッセージ(RADIO LINK ADDITION REQUEST)、および無線リンク再構成要求メッセージ(RADIO LINK RECONFIGURATION REQUEST)内に含まれ得る。あるいは、リソース指示情報は、RNCによって基地局に送信されるユーザデータ、たとえばFP (Frame Protocol,  フレームプロトコル)データ内に含まれ得る。
【００４２】
具体的には、リソース指示情報を送信する2つの方法が存在し得る。1つは、対応するリソース指示情報が時系列の制限なしに複数の基地局のそれぞれに送信される方法である。もう1つは、対応するリソース指示情報が複数の基地局に連続して順番に送信される方法である。
【００４３】
前者のケースに対応して、このステップは具体的に、リソース指示情報を基地局に送信して、リソース指示情報が、基地局に対応するサービングセル内の端末に割り当てられたHS-SCCHチャネルの最大数を含み、基地局に対応するサービングセルに割り当てられたHS-SCCHチャネルの最大数はi以下である。さらに、RNCがリソース指示情報を複数の基地局に送信する場合、基地局に対応するサービングセルに割り当てられたHS-SCCHチャネルの最大数の合計がj以下であることを確実にする、すなわち、すべてのサービングセル内の端末に割り当てられたHS-SCCHチャネルの最大数の合計がj以下であることを確実にする必要がある。
【００４４】
後者のケースに対応して、このステップは具体的に、リソース指示情報を第1の基地局に送信して、第1の基地局によって返されたリソース割当て情報を取得して、第1の基地局によって返されたリソース割当て情報内で第1の基地局に対応するサービングセルに割り当てられたHS-SCCHチャネルの最大数がi以下であり、第1の基地局によって返されたリソース割当て情報、およびHSDPAマルチフロー伝送モードで構成された端末の監視されているHS-SCCHの最大数の能力情報に従って、第2の基地局に送信されるリソース指示情報を決定して、第2の基地局に送信されるリソース指示情報内の第2の基地局に対応するサービングセル内の端末に割り当てられたHS-SCCHチャネルの最大数がi以下であり、すべてのサービングセル内の端末に対応する割り当てられたHS-SCCHチャネルの最大数の合計がj以下である。
【００４５】
すなわち、リソース指示情報が連続して基地局に送信されて、以前の基地局によって返されたリソース割当て情報内で割り当てられたHS-SCCHチャネルの数、iおよびjによって、基地局に送信されたリソース指示情報内の次の基地局に対応するサービングセル内の割り当てられたHS-SCCHチャネルの最大数が決定されて、端末のすべてのサービングセルに対応する割り当てられたHS-SCCHチャネルの最大数の合計がj以下であることが確実になる。リソース指示情報を連続的に送信する場合、第1に送信されるリソース指示情報は暗黙の指示情報であり、すなわち、チャネルの数の特定の限界は送信されず、基地局が、対応するサービングセル内の端末によって受信されたHS-SCCHチャネルの数を割り当てて、iの値も基地局上で設定されて、iの値がプロトコルにおいて定義されるために、基地局によって割り当てられたHS-SCCHチャネルの数が要件を満たすことも確実になる。
【００４６】
103:基地局によって返されたリソース割当て情報を受信して、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である。
【００４７】
リソース割当て情報は、関連するリソース情報、たとえばHS-SCCHコードチャネル情報をさらに含み得る。一方、各基地局によって対応するサービングセル内の端末に割り当てられたHS-SCCHチャネルの数はi以下であり、すべてのサービングセルのHS-SCCHチャネルの数の合計はj以下である。
【００４８】
リソース割当て情報は、基地局によってRNCに送信される制御信号、たとえば、無線リンク設定応答メッセージ(RADIO LINK SETUP RESPONSE)、無線リンク追加応答メッセージ(RADIO LINK ADDITION RESPONSE)、および無線リンク再構成応答メッセージ(RADIO LINK RECONFIGURATION RESPONSE)に含まれ得る。あるいは、リソース割当て情報は、基地局によってRNCに送信されるユーザデータ、たとえばFP (Frame Protocol, フレームプロトコル)データにも含まれ得る。
【００４９】
さらに、上述のステップの後、構成処理をさらに含むことができ、すなわち、リソース構成情報が端末に送信され、情報は、対応する基地局によってサービングセル内の端末に割り当てられたHS-SCCHのリソース情報を含み、リソース情報はHS-SCCHコードチャネル情報を含み、端末によって返されたリソース構成応答が受信される。
【００５０】
上記は、本発明の実施形態におけるRNC側からのリソース割当て方法を説明しており、以下では基地局側からの対応する説明を提供する。
【００５１】
図4は、本発明の実施形態による、基地局側でのリソース割当て方法の特定の手順の概略図である。本手順は以下のステップを含む。
【００５２】
201:無線ネットワークコントローラによって送信されたリソース指示情報を受信して、リソース指示情報は、HSDPAマルチフロー伝送モードで構成された端末の監視されているHS-SCCHの最大数の能力情報に従って無線ネットワークコントローラによって生成された情報であり、基地局に対応するサービングセル内の端末にHS-SCCHを割り当てるよう基地局に指示するために使用される。
【００５３】
上記の実施形態に対応して、HSDPAマルチフロー伝送モードで構成された端末の監視されているHS-SCCHの最大数の能力情報は、端末が基地局に対応するサービングセル内で最大でi個のHS-SCCHを受信して、端末がすべてのサービングセル内で最大でj個のHS-SCCHを受信することを含むことができ、
j=n*x、およびj>=i
以下であり、上式で、xは端末のために構成されたHSDPAマルチフロー伝送サービングセルの総数を表し、nは1以下の整数を表している。
【００５４】
202:リソース指示情報に従ってリソース割当て情報を生成して、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である。
【００５５】
上記で説明したステップ102におけるリソース指示情報を送信する2つのケースに対応して、この実施形態では、第1のケースに対応して、リソース指示情報は、基地局に対応するサービングセル内の端末に割り当てられたHS-SCCHチャネルの最大数を含み、基地局に対応するサービングセルに割り当てられたHS-SCCHチャネルの最大数はi以下であり、すべてのサービングセル内の端末に割り当てられたHS-SCCHチャネルの最大数の合計はj以下である。サービングセル内の基地局によって実際に割り当てられたHS-SCCHチャネルの数は、基地局に対応するサービングセルに割り当てられたHS-SCCHチャネルの最大数よりも少なく、すなわち、リソース割当て情報において基地局によって基地局に対応するサービングセル内の端末に割り当てられたHS-SCCHチャネルの数は、基地局に対応するサービングセルに割り当てられたHS-SCCHチャネルの最大数以下である。
【００５６】
第2のケースに対応して、すなわち、ローカルが、無線ネットワークコントローラがリソース指示情報を送信する第1の基地局である場合、リソース指示情報は、基地局に対応するサービングセル内の端末に割り当てられたHS-SCCHチャネルの最大数を含まず、リソース割当て情報内で基地局に対応するサービングセル内の端末に割り当てられたHS-SCCHチャネルの数はi以下である。
【００５７】
203:リソース割当て情報を無線ネットワークコントローラに送信する。このような方法で、リソース構成を完了するために、無線ネットワークコントローラはリソース割当て情報に従って端末と対話することができる。
【００５８】
上記の説明から、ネットワーク側で、関連する基地局が、HSDPAマルチフロー伝送モードで構成された端末の監視されているHS-SCCHの最大数の能力情報に従って通知されることが分かり、能力情報が端末によって報告されるか、プロトコルにおいて定義され、基地局によって端末に割り当てられたHS-SCCHチャネルの数が端末の処理能力範囲内であることが確実になり、次いで、ネットワーク側が、基地局によって割り当てられたHS-SCCHチャネルの数に従って端末にリソース構成を実行して、端末に割り当てられたHS-SCCHチャネルの総数が端末の処理能力を越えないことを確実にすることができ、それによってHS-SCCHリソース割当ての浪費、および結果として生じるダウンリンクデータ伝送の損失という問題を回避する。
【００５９】
以下で、より多くの実施形態を通じて上述のリソース割当て方法をさらに詳細に説明する。この実施形態では、UEのMF-Txサービングセルの数はxであり、UEは各サービングセル内で最大でi個のHS-SCCHを受信して、UEはすべてのセル内で最大でj個のHS-SCCHを受信すると仮定される。
【００６０】
図5は、対応する無線リンク設定要求が、時系列の制限なしに複数の基地局のそれぞれに送信される場合のリソース構成手順を示している。MF-Txサービングセルについて、図1に示される例が参照されてよく、リソース構成指示情報およびリソース構成割当て情報は、無線リンク設定要求およびリンク設定応答においてそれぞれ搬送され、手順は以下のステップを含む。
【００６１】
301:UEがアクセス要求を開始して、アクセス要求を受信した後、RNCがUEにMF-Txを確立することを決定して、サービングセルが属する基地局は基地局1および基地局2であると決定する。
【００６２】
302:RNCがリンク設定要求を基地局1に送信して、無線リンク設定要求がA1を搬送して、A1は基地局1のサービングセルに割り当てられたHS-SCCHチャネルの最大数であり、A1<=iである。
【００６３】
303:基地局1が、割り当てられたHS-SCCHリソース情報を含むリンク設定応答を返して、対応するHS-SCCHチャネルの数はB1であり、B1<=A1である。
【００６４】
304:RNCが無線リンク設定要求を基地局2に送信して、無線リンク設定要求がA2を搬送して、A2は基地局2のサービングセルに割り当てられたHS-SCCHチャネルの最大数であり、A2<=iである。
【００６５】
305:基地局2が、割り当てられたHS-SCCHリソース情報を含むリンク設定応答を返して、対応するHS-SCCHチャネルの数はB2であり、B2<=A2である。
【００６６】
一方、RNCは、A1とA2を決定する際に、A1+A2<=jとさらに決定する。RNCがA1とA2を決定するステップは、ステップ302およびステップ304の前に、またはそれらと同時に実行される必要があるのは明らかであり、ステップ302とステップ303、およびステップ304とステップ305との間に時系列は必要なく、同時に、または次々に実行され得る。
【００６７】
306:基地局1および基地局2によって返された応答を取得した後、RNCが、基地局によって割り当てられた、およびリソース構成情報における応答内で搬送されたHS-SCCHリソース情報を搬送して、リソース構成情報をUEに送信し、HS-SCCHリソース情報はHS-SCCHコードチャネル情報を含む。
【００６８】
307:UEは、リソース構成を完了するためにリソース構成応答を返し、この場合、UEがセル1内のB1 HS-SCCHを監視して、セル2内のB2 HS-SCCHを監視する。B1およびB2は両方とも上述の規則以下である。
【００６９】
それに対応して、図6は、対応する無線リンク設定要求が複数の基地局のそれぞれに連続的に送信される場合のリソース構成手順を示している。MF-Txサービングセルについて、図1に示される例が参照されてよく、手順は以下のステップを含む。
【００７０】
401:UEがアクセス要求を開始して、RNCが、アクセス要求に従ってUEにMF-Txを確立することを決定して、サービングセルが属する基地局は基地局1および基地局2である。
【００７１】
402:RNCが無線リンク設定要求を基地局1に送信して、無線リンク設定要求は、基地局1に対応するサービングセル内の端末にHS-SCCHを割り当てるよう基地局1に指示するために、リソース指示情報を暗黙に含む。
【００７２】
403:基地局1は、割り当てられたHS-SCCHリソース情報を含むリンク設定応答を返し、HS-SCCHチャネルの対応する数はB1であり、B1<=iである。
【００７３】
404:RNCが無線リンク設定要求を基地局2に送信して、無線リンク設定要求がA2を搬送して、A2は基地局2のサービングセルに割り当てられたHS-SCCHチャネルの最大数であり、A2<i、およびA2<=j-B1である。
【００７４】
405:基地局2は、割り当てられたHS-SCCHリソース情報を含むリンク設定応答を返し、HS-SCCHチャネルの対応する数はB2であり、B2<=A2である。
【００７５】
406:RNCが、リソース構成情報内の割り当てられたHS-SCCHリソース情報を搬送して、リソース構成情報をUEに送信して、HS-SCCHリソース情報はHS-SCCHスクランブリングコードおよび/またはHS-SCCHコードチャネル情報を含み、コードチャネル情報は具体的にはチャネライゼーションコードを指す。
【００７６】
407:UEがリソース構成応答を返し、この場合、UEがセル1内のB1 HS-SCCHを監視して、セル2内のB2 HS-SCCHを監視する。B1およびB2は両方とも上述の規則以下である。
【００７７】
図5に示されるケースとの違いは、RNCが、割り当てられたHS-SCCHの最大数の指示をすべての基地局に送信する必要がないという点である。一般的に言えば、図5で説明した実施形態は、MF-Txサービングセルが同時に確立される場合に使用するために適しているが、図6で説明した実施形態は、MF-Txサービングセルが次々に確立される場合に使用するために適している。
【００７８】
図5および図6に示されるシナリオは、UEのサービングセルが2つの単一の周波数ポイントセルであるシナリオである。上記の説明によれば、MF-Txは図2に示されるケースなどの多くのモードをさらに含む。表1に示されるように、セルx-セルyは一定の周波数ポイントの一定のサービングセルを識別するために使用され、xはセルの周波数を表すために使用され、yは同じ周波数上のセルの数を表すために使用され、表にリストアップされたセルはMF-Txサービングセルの組合せである点に留意されたい。たとえば、UEのMF-Txサービングセルは、セル1-1、セル1-2,  、セル2-1、およびセル2-2でもよく、別の組合せでもよい。
【００７９】
【表１】
0005995017.tif 000002
【００８０】
UEのサービングセルが異なる基地局上にある場合、HSDPAマルチフロー伝送サービングセルが位置している基地局は基地局1、基地局2、基地局3、…、および基地局nであり、対応する基地局に属するHSDPAマルチフロー伝送サービングセルはn1、n2、n3、…、およびnnであり、サービングセルの総数はxであり、x=n1+n2+n3+…+nnであると仮定される。対応するHS-SCCHリソース割当て規則は、UEのMF-Txサービングセルの数がxであり、UEは各サービングセル内で最大でi個のHS-SCCHを受信して、UEはすべてのサービングセル内で最大でj個のHS-SCCHを受信して、たとえばi=4およびj=3*xであると仮定することである。
【００８１】
この場合、図5に示される実施形態では、各基地局1の割り当てられたHS-SCCHチャネルの設定された最大数だけを対応して調整する必要があり、すなわち、B1+B2+B3…<=A1+A2+A3…<=j、A1<=i、A2<=i、A3<=i、…である。同じ基地局に属する複数のサービングセルが存在し得ることは明らかであり、したがって、基地局に送信された無線リンク設定要求が、複数のサービングセルに対応するAi値を搬送する。図6に示される実施形態における調整は同様であり、Ai値を第1の基地局に送信する必要はない。
【００８２】
上述の実施形態では、HSDPAマルチフロー伝送モードで構成された端末の監視されているHS-SCCHの最大数の能力情報において搬送されたHS-SCCHチャネルの最大数に従って、能力情報が端末によって報告されるか、プロトコルにおいて定義される場合、RNCは、MF-Txを構成する間、ネットワーク側が割り当てられたHS-SCCHがUEの処理能力内であることを確実にできるようにするために、HS-SCCHリソース情報を割り当てるよう基地局に要求して、それによってUEとネットワーク側との間のHS-SCCH構成情報が不一致であるという問題を回避する。
【００８３】
上述の方法実施形態に対応して、本発明の実施形態は無線ネットワークシステムをさらに提供し、無線ネットワークシステムは無線ネットワークコントローラ10および基地局20を含む。
【００８４】
無線ネットワークコントローラ10は、HSDPAマルチフロー伝送モードで構成された端末の監視されているHS-SCCHの最大数の能力情報に従ってリソース指示情報を生成して、リソース指示情報を基地局に送信して、リソース指示情報に従って基地局によって返されたリソース割当て情報を受信するように構成され、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下である。
【００８５】
基地局20は、無線ネットワークコントローラによって送信されたリソース指示情報を受信して、リソース指示情報に従ってリソース割当て情報を生成して、リソース割当て情報を無線ネットワークコントローラに送信するように構成される。
【００８６】
図7に示されるように、具体的には、無線ネットワークコントローラ10は、HSDPAマルチフロー伝送モードで構成された端末の監視されているHS-SCCHの最大数の能力情報に従ってリソース指示情報を生成するように構成された指示情報生成ユニット100であって、リソース指示情報が、基地局に対応するサービングセル内の端末にHS-SCCHを割り当てるよう基地局に指示するために使用されるユニットと、リソース指示情報を基地局に送信するように構成された指示情報送信ユニット102と、リソース指示情報に従って基地局によって返されたリソース割当て情報を受信するように構成された割当て情報受信ユニット104とを含むことができ、リソース割当て情報は、基地局によって基地局に対応するサービングセル内の端末に割り当てられたHS-SCCHチャネルの数を含み、基地局に対応するサービングセル内の端末に割り当てられたHS-SCCHチャネルの数は、HSDPAマルチフロー伝送モードで構成された端末の監視されているHS-SCCHの最大数以下である。
【００８７】
上述の無線ネットワークコントローラの任意の数のユニットは、プロセッサに統合されてもよく、それぞれがプロセッサでもよい点に留意されたい。
【００８８】
HSDPAマルチフロー伝送モードで構成された端末の監視されているHS-SCCHの最大数の能力情報は、端末が各サービングセル内で最大でi個のHS-SCCHを受信して、端末がすべてのサービングセル内で最大でj個のHS-SCCHを受信することを含み、
j=n*x、およびj>=i
以下であり、上式で、xはHSDPAマルチフロートランスミッションモードで構成された端末のサービングセルの総数であり、jおよびiは両方とも1以上の整数であり、nは1以上の整数を表す。
【００８９】
指示情報送信ユニット102は、リソース指示情報を基地局に送信するようにさらに構成されている。リソース指示情報は、基地局に対応するサービングセル内の端末に割り当てられたHS-SCCHチャネルの最大数を含み、基地局に対応するサービングセルに割り当てられたHS-SCCHチャネルの最大数はi以下であり、すべてのサービングセル内の端末に割り当てられたHS-SCCHチャネルの最大数の合計はj以下である。
【００９０】
本発明の別の実施形態では、指示情報送信ユニット102が、リソース指示情報を第1の基地局に送信するようにさらに構成され、割当て情報受信ユニット104が、第1の基地局によって返されたリソース割当て情報を取得するようにさらに構成され、第1の基地局によって返されたリソース割当て情報内で第1の基地局に対応するサービングセルに割り当てられたHS-SCCHチャネルの最大数がi以下であり、指示情報生成ユニット100が、第1の基地局によって返されたリソース割当て情報、およびHSDPAマルチフロー伝送モードで構成された端末の監視されているHS-SCCHの最大数の能力情報に従って、第2の基地局に送信されるリソース指示情報を決定するようにさらに構成され、第2の基地局に送信されるリソース指示情報内の第2の基地局に対応するサービングセル内の端末に割り当てられたHS-SCCHチャネルの最大数がi以下であり、すべてのサービングセル内の端末に対応する割り当てられたHS-SCCHチャネルの最大数の合計がj以下である。
【００９１】
一方、本発明の実施形態は、基地局20などの基地局をさらに提供する。図8に示されるように、基地局20は、無線ネットワークコントローラによって送信されたリソース指示情報を受信するように構成された指示情報受信ユニット200であって、リソース指示情報が、HSDPAマルチフロー伝送モードで構成された端末の監視されているHS-SCCHの最大数の能力情報に従って無線ネットワークコントローラによって生成された情報であり、基地局に対応するサービングセル内の端末にHS-SCCHを割り当てるよう基地局に指示するために使用されるユニットと、リソース指示情報に従ってリソース割当て情報を生成するように構成された割当て情報生成ユニット202であって、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下であるユニットと、リソース割当て情報を無線ネットワークコントローラに送信するように構成された割当て情報送信ユニット204とを含む。
【００９２】
上述の基地局の任意の数のユニットは、プロセッサに統合されてもよく、それぞれがプロセッサでもよい点に留意されたい。
【００９３】
HSDPAマルチフロー伝送モードで構成された端末の監視されているHS-SCCHの最大数の能力情報は、端末が各サービングセル内で最大でi個のHS-SCCHを受信して、端末がすべてのサービングセル内で最大でj個のHS-SCCHを受信することを含み、
j=n*x、およびj>=i
であり、上式で、xは端末のために構成されたHSDPAマルチフロー伝送サービングセルの総数を表し、jおよびiは両方とも1以上の整数であり、nは1以下の整数を表す。
【００９４】
リソース指示情報は、基地局に対応するサービングセル内の端末に割り当てられたHS-SCCHチャネルの最大数を含み、基地局に対応するサービングセルに割り当てられたHS-SCCHチャネルの最大数はi以下であり、すべてのサービングセル内の端末に割り当てられたHS-SCCHチャネルの最大数の合計はj以下であり、リソース割当て情報内で基地局に対応するサービングセル内の端末に割り当てられたHS-SCCHの数は、基地局に対応するサービングセルに割り当てられたHS-SCCHチャネルの最大数以下である。
【００９５】
本発明の別の実施形態では、ローカルが、無線ネットワークコントローラがリソース指示情報を送信する第1の基地局である場合、リソース指示情報は、基地局に対応するサービングセル内の端末に割り当てられたHS-SCCHチャネルの最大数を含まず、リソース割当て情報内で基地局に対応するサービングセル内の端末に割り当てられたHS-SCCHチャネルの数はi以下である。
【００９６】
図9に示されるように、本発明の実施形態は端末30をさらに提供し、端末は、
無線ネットワークコントローラによって送信されたリソース構成情報を受信するように構成された構成情報受信ユニット300であって、リソース構成情報が、無線ネットワークコントローラがHSDPAマルチフロー伝送モードで構成された端末の監視されているHS-SCCHの最大数の能力情報に従ってリソース指示情報を生成して、リソース指示情報を基地局に送信した後に、基地局によって返されたリソース割当て情報を受信した後にリソース割当て情報に従って生成されたリソース構成情報であり、リソース割当て情報が、基地局によって基地局に対応するサービングセル内の端末に割り当てられたHS-SCCHチャネルの数を含み、基地局に対応するサービングセル内の端末に割り当てられたHS-SCCHチャネルの数が、HSDPAマルチフロー伝送モードで構成された端末の監視されているHS-SCCHの最大数以下であるユニットと、
リソース構成を完了するために、受信されたリソース構成情報に従って構成を実行して、リソース構成応答情報を無線ネットワークコントローラに返すように構成された構成応答送信ユニット302とを含む。
【００９７】
上述のシステムおよび装置実施形態における用語および技術的詳細は、上述の方法実施形態における用語および技術的詳細と一致するものであり、ここでは再び説明しない点に留意されたい。
【００９８】
本発明の実施形態では、無線ネットワークコントローラが、端末によって報告された端末能力情報に従って基地局に通知して、基地局によって端末に割り当てられたHS-SCCHチャネルの数が端末の処理能力範囲内であることを確実にして、次いで、無線ネットワークコントローラが、基地局によって割り当てられたHS-SCCHチャネルの数に従って端末にリソース構成を実行して、端末に割り当てられたHS-SCCHチャネルの総数が端末の処理能力を超えないことを確実にして、それによってHS-SCCHリソース割当ての浪費、および結果として生じるダウンリンクデータ伝送の損失という問題を回避する。
【００９９】
便宜上、および説明を簡単にするために、上述の機能モジュールの分割だけを説明のための例にとっているが、実際の適用では、上述の機能が実装の必要性に応じて異なる機能モジュールに割り当てられてもよく、すなわち、上記で説明した機能のすべてまたは一部を実装するために、装置の内部構造が異なる機能モジュールに分割されてよいことが、当業者によって明らかに理解されよう。上述のシステム、装置、およびユニットの特定の作業処理では、方法実施形態における対応する処理が参照されてよく、ここでは再び説明しない。
【０１００】
本出願書において提供されるいくつかの実施形態では、開示されるシステム、装置、および方法は他の方法で実装され得ることが理解されるべきである。たとえば、説明された装置実施形態は例示的なものにすぎない。たとえば、モジュールまたはユニットの分割は論理的な機能分割にすぎず、実際の実装では他の分割でもよい。たとえば、複数のユニットまたはコンポーネントは別のシステムに結合されてもよく、統合されてもよく、いくつかの特徴は無視されてもよく、実行されなくてもよい。さらに、図示または記述された結合または直接結合、あるいは通信接続は、いくつかのインターフェースを通じて達成することができ、装置またはユニット間の関節結合または通信接続は電気的なものでもよく、機械的なものでもよく、または他の形態でもよい。
【０１０１】
別々のコンポーネントとして記述したユニットは物理的に分離していてもよく、分離していなくてもよい。ユニットとして図示されたコンポーネントは物理的ユニットでもよく、物理的ユニットではなくてもよく、すなわち、1つの場所に位置していてもよく、複数のネットワークユニット上に分散されていてもよい。ユニットのうちのいくつかまたはすべては、本実施形態のソリューションの目的を達成するために、実際の必要性に応じて選択され得る。
【０１０２】
さらに、本発明の各実施形態における様々な機能ユニットは、1つの処理装置に統合されてもよく、様々な別々の物理的ユニットとして存在してもよく、あるいは2つ以上のユニットが1つのユニットに統合されてもよい。上記の統合されたモジュールはハードウェアの形態で実装されてもよく、ソフトウェア機能ユニットの形態で実装されてもよい。
【０１０３】
統合されたユニットがソフトウェア機能ユニットの形態で実装されて、別々の製品として販売または使用される場合、統合されたユニットはコンピュータ可読記憶媒体に格納され得る。そのような理解に基づいて、本発明の本質的な技術的ソリューション、または従来技術に寄与する部分は、ソフトウェア製品の形態で実施され得る。コンピュータソフトウェア製品は記憶媒体に格納されて、コンピュータデバイス(パーソナルコンピュータ、サーバ、またはネットワークデバイスでよい)、またはプロセッサ(processor)に、本発明の実施形態において説明された方法のすべてまたは一部を実行するよう命令するために使用されるいくつかの命令を含む。上記の記憶媒体は、USBフラッシュディスク、リムーバブルハードディスク、読出し専用メモリ(ROM, Read-Only Memory)、ランダムアクセスメモリ(RAM, Random Access Memory)、磁気ディスク、または光ディスクなどの、プログラムコードを格納することができる様々な媒体を含む。
【０１０４】
上記の実施形態は、本発明の技術的ソリューションを説明するために提供されるにすぎず、本発明を限定することを意図するものではない。上記の実施形態を参照して本発明を詳細に説明してきたが、依然として上記の実施形態において説明された技術的ソリューションに修正が行われてよく、技術的ソリューションのいくつかの技術的特徴に同等の置換が行われてよいことを当業者は理解するべきである。しかしながら、これらの修正または置換は、本発明の実施形態における技術的ソリューションの趣旨および範囲から逸脱する対応する技術的ソリューションの本質を作るものではない。
【符号の説明】
【０１０５】
10  無線ネットワークコントローラ
20  基地局
30  端末
100  指示情報生成ユニット
102  指示情報送信ユニット
104  割当て情報受信ユニット
200  指示情報受信ユニット
202  割当て情報生成ユニット
204  割当て情報送信ユニット
300  構成情報受信ユニット
302  構成応答送信ユニット
【図１】
0005995017.tif 000003
【図２】
0005995017.tif 000004
【図３】
0005995017.tif 000005
【図４】
0005995017.tif 000006
【図５】
0005995017.tif 000007
【図６】
0005995017.tif 000008
【図７】
0005995017.tif 000009
【図８】
0005995017.tif 000010
【図９】
0005995017.tif 000011